(57)【要約】      （修正有）【課題】ロック状態の解除に関連するパーツを、扉体と固定側部材との間の比較的目立たず、操作の困難な位置に配置することで、不用意にロック状態が解除されることを防止する、扉体のロック装置を提供する。【解決手段】扉体２１に設けられたケース５０と、ケース５０内に移動可能に収納され、ケース５０を閉位置に固定可能な固定側部材（例えば戸枠）に突出し、閉位置において固定側部材（例えば戸枠）に設けられた凹溝（例えばレール４０）内に突入する係止部６１、及び移動方向に対して傾斜したカム溝６２を備えたロック部材６０と、ケース５０にスライド可能に保持され、ロック部材６０の係止部６１が出入り可能な枠体、及びロック部材６０のカム溝６２に沿って移動可能なピン部を備えたスライド部材７０からなる。【選択図】図１
2015004207.tif 000002
【特許請求の範囲】
【請求項１】
扉体に固定可能なケースと、
前記ケース内に移動可能に収納され、前記ケースを閉位置に固定可能な固定側部材に向かって突出し、前記閉位置において前記固定側部材に設けられた凹溝内に突入する係止部、及び前記移動方向に対して傾斜したカム溝を備えたロック部材と、
前記ロック部材の前記カム溝に沿って移動可能なピン部を備え、前記ケースにスライド可能に保持されたスライド部材と、
からなることを特徴とする扉体のロック装置。
【請求項２】
前記スライド部材は、
前記扉体と前記凹溝との間にてスライド操作可能な操作部を備えたことを特徴とする請求項１に記載の扉体のロック装置。
【請求項３】
前記ロック装置は、
前記ケースから突出する方向に前記ロック部材を付勢する付勢手段を備えたことを特徴とする請求項１又は請求項２に記載の扉体のロック装置。
【請求項４】
前記ケースと前記スライド部材との間には、
前記スライド部材のスライド方向の動きをガイドするガイド手段を備えたことを特徴とする請求項１〜３のいずれか１項に記載の扉体のロック装置。
【発明の詳細な説明】
【技術分野】
【０００１】
この発明は、扉体のロック装置に関し、不用意にロック状態が解除されるのを防止することができるようにしたものである。
【背景技術】
【０００２】
従来、折戸のロック装置に関し、折戸の一方の連結縦框に、ロック部材を上下動可能に設け、ロック部材から外部に延びるつまみ部を手で上下動させることで、ロックとロック解除との操作を行っていた（特許文献１の段落番号「００１４」、「００１６」、図４及び図５参照））。
すなわち、ロック部材が下降すると、その下端の係止溝がガイドレールを跨ぐようにはまり込み、折戸を閉位置にロックしていた（特許文献１の段落番号「００１７」、「００１８」及び図４参照））。
【先行技術文献】
【特許文献】
【０００３】
【特許文献１】実用新案登録第2554913号公報
【発明の概要】
【発明が解決しようとする課題】
【０００４】
しかし、上記した従来の折戸のロック装置では、ロック部材から外部に延びるつまみ部を手で上下動させることで、ロックとロック解除との操作を簡便に行えるため、ロック状態が不用意に解除されるおそれがあるといった問題点があった。
例えば、つまみ部がロック部材から外部に延びているため、つまみ部が何かに引っ掛かって不用意に動いたり、或いは子供にいたずらされる可能性もあった。
【０００５】
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
すなわち、請求項１に記載の発明は、ロック状態の解除に関連するパーツを、扉体と固定側部材との間の比較的目立たず、又、操作の困難な位置に配置することで、不用意にロック状態が解除されるのを防止することができるようにしたものである。
（請求項２）
請求項２に記載の発明は、上記した請求項１に記載の発明の目的に加え、次の点を目的とする。
【０００６】
すなわち、請求項２に記載の発明は、スライド部の操作部をスライド操作することで、扉体のロックとロック解除との操作を行うことができるようにしたものである。
（請求項３）
請求項３に記載の発明は、上記した請求項１又は請求項２に記載の発明の目的に加え、次の点を目的とする。
【０００７】
すなわち、請求項３に記載の発明は、付勢手段の付勢力を利用して、ロック部材をケースから突出させることができるようにしたものである。
（請求項４）
請求項４に記載の発明は、上記した請求項１〜３のいずれか１項に記載の発明の目的に加え、次の点を目的とする。
【０００８】
すなわち、請求項４に記載の発明は、ガイド手段により、スライド部材のスライド方向の動きを円滑化し、又、スライド部材の補強作用を期待することができるようにしたものである。
【課題を解決するための手段】
【０００９】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１０】
すなわち、扉体(21,22)のロック装置(10)は、例えば図３及び図４に示すように、次の構成からなる。
（１）ケース(50)
ケース(50)は、例えば図７に示すように、扉体(21,22)に固定可能なものである。
（２）ロック部材(60)
ロック部材(60)は、例えば図１、図３及び図４に示すように、ケース(50)内に移動可能に収納され、ケース(50)を閉位置に固定可能な固定側部材（例えば戸枠30）に向かって突出し、閉位置において固定側部材（例えば戸枠30）に設けられた凹溝（例えばレール40）内に突入する係止部(61)、及び移動方向に対して傾斜したカム溝(62)を備えたものである。
【００１１】
（３）スライド部材(70)
スライド部材(70)は、例えば図１、図３及び図４に示すように、ロック部材(60)のカム溝(62)に沿って移動可能なピン部(73)を備え、ケース(50)にスライド可能に保持されたものである。
（請求項２）
請求項２に記載の発明は、上記した請求項１に記載の発明の特徴点に加え、次の点を特徴とする。
【００１２】
すなわち、スライド部材(70)は、例えば図３〜５に示すように、次の構成を備えた。
（１）操作部(75)
操作部(75)は、扉体(21,22)と凹溝（例えばレール40）との間にてスライド操作可能なものである。
（請求項３）
請求項３に記載の発明は、上記した請求項１又は請求項２に記載の発明の特徴点に加え、次の点を特徴とする。
【００１３】
すなわち、ロック装置(10)は、例えば図１、図３及び図４に示すように、次の構成を備えた。
（１）付勢手段（例えばスプリング80）
付勢手段（例えばスプリング80）は、例えば図１、図３及び図４に示すように、ケース(50)から突出する方向にロック部材(60)を付勢するものである。
（請求項４）
請求項４に記載の発明は、上記した請求項１〜３のいずれか１項に記載の発明の特徴点に加え、次の点を特徴とする。
【００１４】
すなわち、ケース(50)とスライド部材(70)との間には、例えば図３〜５に示すように、次の構成を備えた。
（１）ガイド手段（例えばガイド溝54とガイド突起74）
ガイド手段（例えばガイド溝54とガイド突起74）は、例えば図３〜５に示すように、スライド部材(70)のスライド方向の動きをガイドするものである。
【発明の効果】
【００１５】
本発明は、以上のように構成されているので、以下に記載されるような効果を奏する。（請求項１）
請求項１に記載の発明によれば、次のような効果を奏する。
すなわち、請求項１に記載の発明によれば、ロック状態の解除に関連するパーツを、扉体と固定側部材との間の比較的目立たず、又、操作の困難な位置に配置することで、不用意にロック状態が解除されるのを防止することができる。
（請求項２）
請求項２に記載の発明によれば、上記した請求項１に記載の発明の効果に加え、次のような効果を奏する。
【００１６】
すなわち、請求項２に記載の発明によれば、スライド部の操作部をスライド操作することで、扉体のロックとロック解除との操作を行うことができる。
（請求項３）
請求項３に記載の発明によれば、上記した請求項１又は請求項２に記載の発明の効果に加え、次のような効果を奏する。
【００１７】
すなわち、請求項３に記載の発明によれば、付勢手段の付勢力を利用して、ロック部材をケースから突出させることができる。
（請求項４）
請求項４に記載の発明によれば、上記した請求項１〜３のいずれか１項に記載の発明の効果に加え、次のような効果を奏する。
【００１８】
すなわち、請求項４に記載の発明によれば、ガイド手段により、スライド部材のスライド方向の動きを円滑化し、又、スライド部材の補強作用を期待することができる。
【図面の簡単な説明】
【００１９】
【図１】ロック装置の動作を説明するための説明図であって、同図（ａ）はロック部材の収納状態、（ｂ）はロック部材の一部突出状態、（ｃ）はロック部材の突出状態をそれぞれ示すものである。
【図２】ロック装置の取付部位を示す折れ戸の概略斜視図である。
【図３】ロック装置の概略分解斜視図である。
【図４】図３に対応し、裏面側から見た概略分解斜視図である。
【図５】組み立て、ロック部材の突出されたロック装置の斜視図であって、同図（ａ）は表側から見た状態、（ｂ）は裏側から見た状態をそれぞれ示すものである。
【図６】カム溝とピン部との係合状態を説明するためのロック部材とスライド部材との斜視図と、その一部拡大図である。
【図７】ロック部材とレールとの係合状態を説明するためのロック装置、扉体及びレールの一部斜視図であって、同図（ａ）はロック部材の収納状態、（ｂ）はロック部材の突出状態をそれぞれ示すものである。
【図８】ロック部材とレールとの係合状態を説明するためのロック部材及びレールの一部斜視図である。
【図９】ロック部材とレールとの係合状態を説明するためのロック装置及びレールの一部斜視図である。
【図１０】本発明の第２の実施の形態を示し、同図は折り戸の概略斜視図と、ロック装置と凹溝との係合状態を説明するための一部拡大図である。
【図１１】本発明の第３の実施の形態を示し、同図は折り戸の概略斜視図と、ロック装置と凹溝との係合状態を説明するための一部拡大図である。
【発明を実施するための形態】
【００２０】
（ロック装置10）
図１中、10は、扉体21,22のロック装置に関し、扉体21,22が不用意に開閉されるのを防止することができるようにしたものである。
（扉体21,22）
扉体21,22は、図２に示すように、後述する戸枠30に開閉可能に支持され、２枚の扉体21,22から構成されている。
【００２１】
２枚の扉体21,22は、ヒンジ23を介して互いに連結され、折れ戸20を構成している。折れ戸20は、図示しないが、例えばクローゼットの扉として使用される。
なお、扉体21,22として、折れ戸20を例示したが、これに限定されず、１枚の扉体から構成してもよい。また、折れ戸20の使用部位として、クローゼットの扉を例示したが、これに限定されず、浴槽などの折れ戸に使用してもよい。
（戸枠30）
戸枠30は、図２に示すように、方形の枠状に形成され、上下の横枠31,32と、左右の縦枠33とから構成されている。上下の横枠31,32には、図７に示すように、扉体21,22との間にレール40が固定されている。
【００２２】
戸枠30は、図１に示すように、ロック装置10の後述するケース50を閉位置に固定可能な固定側部材として機能する。より具体的には、戸枠30のうち、後述する凹溝としてのレール40が固定される上下の横枠31,32が固定側部材として機能する。
なお、固定側部材として、戸枠30、或いは上下の横枠31,32を例示したが、これらに限定されない。
（レール40）
レール40には、図７に示すように、そのレール溝内に、後述するロック部材60の係止部61が突入することで、扉体21,22を閉位置にロックする。その意味で、レール40は、係止部61が突入する凹溝として機能する。
【００２３】
なお、凹溝として、レール40を例示したが、これに限定されず、係止部61が突入する凹状の溝であれば良く、溝は穴状に貫通していても良い。
ロック部材60の使用部位は、図２に示すように、向かって左側の扉体21と上下の横枠31,32との間の上下の２箇所、或いは左側の扉体22と上下の横枠31,32との間の上下の２箇所の計４箇所のいずれか少なくとも１箇所以上である。
（ロック装置10のパーツ）
ロック装置10は、扉体21,22と戸枠30との間、或いは隣接する扉体21,22の間に位置し、扉体21,22を閉位置にロックするものである。
すなわち、ロック装置10は、図３、図４及び図７に示すように、次の構成からなる。
【００２４】
なお、次の（１）〜（５）については、後述する。
（１）ケース50
（２）ロック部材60
（３）スライド部材70
（４）スプリング80（付勢手段）
（５）ネジ90（固定手段、図７参照）
なお、ロック装置10は、上記した（１）〜（５）に限定されず、例えば「（４）スプリング80」、「（５）ネジ90」を省いても良い。例えば、「（４）スプリング80」を省き、後述するロック部材60が自重で落下するようにしてもよい。
（ケース50）
ケース50は、図７に示すように、扉体21,22に固定可能なものである。
【００２５】
ケース50には、大別すると、次の各部を備える。
なお、ケース50の各部は、次の（１）〜（５）に限定されない。
（１）ベース51
ベース51は、図３及び図４に示すように、板状に形成され、図７に示すように、後述するネジ90を使用して、扉体21の下端部に固定可能なものである。
【００２６】
なお、ベース51を、扉体21の下端部に固定したが、これに限定されず、上端部、或いはもう１枚の扉体22の上端部や下端部に固定するようにしてもよい。
（２）カバー52
カバー52は、図１及び図４に示すように、ベース51に連接し、後述するスライド部材70を出入り可能に収納できるものである。カバー52は、図４に示すように、中空な略Ｕ字形ないしは略Ｃ字形の断面を有し、ベース51と反対側の側面が塞がれている。
【００２７】
（３）開口部53
開口部53は、図４に示すように、カバー52の下面に位置し、後述するロック部材60の係止部61が出入り可能なものである。
（４）ガイド溝54（ガイド手段）
ガイド溝54は、図３に示すように、後述するスライド部材70のガイド突起74がはまり込むことで、当該ガイド突起74と協働してスライド部材70のスライドをガイドするためのものであり、ガイド手段を構成する。
なお、ガイド手段のガイドは、ケース50に対するスライド部材70のスライドの動きのガタを防止したり、或いはケース50に対するスライド部材70の抜けを防止するためのものである。
【００２８】
ガイド溝54は、ケース50の下側に横長に形成され、カバー52の中空内部に貫通している。
なお、ガイド溝54を、カバー52の貫通するように穴状に形成したが、凹状に形成してもよい。
ガイド溝54には、図５に示すように、後述するスライド部材70のガイド突起74がはまり込む。ガイド突起74は、図１に示すように、ロック部材60が上下する際に、ガイド溝54に沿って横方向に移動する。
【００２９】
なお、ガイド手段として、ガイド溝54とスライド部材70のガイド突起74とを例示したが、これらに限定されない。
（５）スライド溝55
スライド溝55は、図７に示すように、後述するロック部材60の爪部68がはまり込むことで、当該爪部68と協働して、ロック部材60が開口部53から抜けるのを阻止するためのものである。
【００３０】
スライド溝55は、図３に示すように、ケース50の幅方向の略中央に縦長に形成され、カバー52の中空内部に貫通している。
スライド溝55には、図５に示すように、開口部53からカバー52の中空内部に後述するスライド部材70をはめ込んだときに、ロック部材60の後述する爪部68がはまり込む。爪部68は、ロック部材60が上下する際に、スライド溝55に沿って上下方向に移動する。
【００３１】
なお、スライド溝55と、ロック部材60の爪部68とにより、ロック部材60の抜けを阻止したが、ロック部材60の抜けを阻止する構成としては、これらに限定されない。
（ロック部材60）
ロック部材60は、図３及び図４に示すように、後述する係止部61、及びカム溝62を備えたものである。
【００３２】
ロック部材60は、図３及び図４に示すように、上下方向に長い板状に形成され、カバー52の中空内部に収納可能な大きさに形成されている。
ロック部材60は、図３及び図４に示すように、大別すると、次の各部を備える。
なお、ロック部材60の各部は、次の（１）〜（８）に限定されない。
（１）係止部61
係止部61は、図１、図３及び図４に示すように、ケース50内に移動可能に収納され、ケース50を閉位置に固定可能な戸枠30の下側の横枠32（固定側部材）に向かって突出し、閉位置において下側の横枠32（固定側部材）に設けられたレール40のレール溝（凹溝）内に突入するものである。
【００３３】
係止部61は、ロック部材60の下端部に位置し、ケース50の開口部53から突出可能であり、かつレール40のレール溝（凹溝）内にはまり込む大きさに形成されている。
（２）カム溝62
カム溝62は、図１及び図３に示すように、ロック部材60の移動方向に対して傾斜したものである。
【００３４】
カム溝62は、図３に示すように、同図において向かって左側の上部から右側の下部に向かって下り傾斜させて形成している。
カム溝62には、図６に示すように、後述するスライド部材70のピン部73がはまり込む。ピン部73は、ロック部材60が上下動する際に、カム溝62に沿って相対的に移動することで、スライド部材70の横方向の動きをロック部材60の縦方向の動き、すなわち上下動に変換している。
【００３５】
（３）停止部63
停止部63は、図６に示すように、ロック部材60がカバー52の中空内部に収納された状態、すなわちロックの解除状態において、後述するスライド部材70のピン部73をロックするものである。
停止部63は、カム溝62の終端部、すなわち傾斜下端側に位置し、ロック部材60の移動方向に対して直交する方向に短く延びている。
【００３６】
（４）返し部64
返し部64は、図６に示すように、カム溝62と後述するスライド部材70のピン部73との間に位置し、ピン部73が停止部63からカム溝62に戻るのを防止するためのものである。例えば、振動等により、ピン部73が停止部63からカム溝62に戻るのを防止している。
返し部64は、カム溝62と停止部63との境界に位置し、停止部63の上面から溝内に向かって下方に突出し、例えば略三角形に突出している。
なお、返し部64を必要に応じて形成すればよく、例えば停止部63を十分な長さに形成した場合には、返し部64を省いても良い。
【００３７】
（５）規制部65
規制部65は、図８及び図９に示すように、レール40のレール溝（凹溝）の溝幅方向に突出し、当該レール溝（凹溝）の開口縁部に当接することで、レール溝（凹溝）内への係止部61の突入量を一定に規制するためのものである。
規制部65は、ロック部材60の一側面の下端部から略平面三角形に突出する。
なお、規制部65は、必要に応じて設ければよく、省いても良い。
【００３８】
（６）突起部66
突起部66は、図４及び図９に示すように、レール40のレール溝（凹溝）の溝幅方向に突出し、レール溝（凹溝）内に突入した係止部(61)と当該レール溝（凹溝）との間の隙間を減少させるためのものである。
突起部66は、規制部65と背向して突出し、ロック部材60の他の一側面の下端部から略ブロック形に突出する。
なお、突起部66は、必要に応じて設ければよく、省いても良い。
【００３９】
（７）保持溝67
保持溝67は、図１及び図３に示すように、後述するスプリング80の一端部を保持するためのものである。
保持溝67は、ロック部材60の上端部に位置し、凹状に形成されている。
スプリング80は、その一端部が保持溝67にはまり込み、他端部がカバー52の中空内部の上壁に当接し、両者の間で圧縮され、その圧縮復元力により、ロック部材60の係止部61がケース50の開口部53から突出する方向に付勢する。
【００４０】
（８）爪部68
爪部68は、図７に示すように、スライド溝55にはまり込むことで、当該スライド溝55と協働して、ロック部材60が開口部53から抜けるのを阻止するためのものである。
爪部68は、図３に示すように、カム溝62の有る側の一側面の上端部から突出し、斜面を上方に向けた断面が直角三角形形に突出する。
【００４１】
爪部68は、図５に示すように、開口部53からカバー52の中空内部に向かってスライド部材70をはめ込んだときに、カバー52の弾性等を利用してスライド溝55に無理にはまり込む。爪部68は、ロック部材60が上下する際に、スライド溝55に沿って上下方向に移動する。
なお、爪部68と、ケース50のスライド溝55とにより、ロック部材60の抜けを阻止したが、ロック部材60の抜けを阻止する構成としては、これらに限定されない。
（スライド部材70）
スライド部材70は、図３及び図４に示すように、後述するピン部73を備えたものである。
【００４２】
スライド部材70は、図１に示すように、ケース50の下面に沿ってスライド可能に保持され、扉体21の下面とレール40のレール溝（凹溝）の上面との間の僅かな隙間内をスライドするものである。
スライド部材70は、図３及び図４に示すように、大別すると、次の各部を備える。
なお、スライド部材70の各部は、次の（１）〜（５）に限定されない。
【００４３】
（１）枠体71
枠体71は、図１に示すように、ケース50にスライド可能に保持され、ロック部材60の係止部61が出入り可能なものである。
枠体71は、図３及び図４に示すように、上下に薄い板状で、平面が略方形の枠形に形成され、枠内部が上下に貫通して開口している。
なお、スライド部材70に枠体71を設けたが、枠体71は、必要に応じて設ければよく、省いても良い。すなわち、スライド部材70を、ロック部材60の係止部61の出入りの妨げとならないように、当該出入りの範囲を避けてスライドするように、例えば棒状に形成してもよい。
【００４４】
（２）アーム72
アーム72は、図３及び図４に示すように、枠体71から上方に向かってアーム状に延びるものである。
（３）ピン部73
ピン部73は、図６に示すように、ロック部材60のカム溝62に沿って移動可能なものである。
【００４５】
ピン部73は、図３及び図４に示すように、アーム72の上端部の一側面からピン状に横向きに突出する。
ピン部73は、カム溝62に沿って相対的に移動することで、スライド部材70の横方向の動きをロック部材60の縦方向の動き、すなわち上下動に変換している。
（４）ガイド突起74（ガイド手段）
ガイド突起74は、図３に示すように、ケース50のガイド溝54にはまり込むことで、当該ガイド溝54と協働してスライド部材70のスライドをガイドするためのものであり、ガイド手段を構成する。
【００４６】
ガイド突起74は、図３に示すように、ピン部73と背向して突出し、アーム72の上端部の他の一側面からピン状に横向きに突出する。
ガイド突起74は、図５に示すように、ケース50のガイド溝54にはまり込み、図１に示すように、ロック部材60が上下する際に、ガイド溝54に沿って横方向に移動する。
なお、ガイド手段として、ガイド突起74とケース50のガイド溝54とを例示したが、これらに限定されない。
【００４７】
（５）操作部75
操作部75は、図３に示すように、扉体21とレール40のレール溝（凹溝）との間にてスライド操作可能なものである。
操作部75は、枠体71の一端部に位置し、スライド部材70を押すという操作を考えた場合には、押す方向の後ろ側の一端部が操作部75となる。このため、スライド部材70を左右両側から押すと考えると、枠体71の両端部が交互に操作部75として機能する。
（スプリング80）
スプリング80は、図１、図３及び図４に示すように、ロック部材60をケース50から突出する方向に付勢するものであり、付勢手段として機能する。
【００４８】
すなわち、スプリング80は、その一端部が保持溝67にはまり込み、他端部がカバー52の中空内部の上壁に当接し、両者の間で圧縮され、その圧縮復元力により、ロック部材60の係止部61がケース50の開口部53から突出する方向に付勢する。
なお、付勢手段として、スプリング80を例示したが、これに限定されず、板バネ等を使用してもよい。
（ネジ90）
ネジ90は、図７に示すように、ケース50を扉体21に固定するためのものであり、固定手段として機能する。
【００４９】
ネジ90は、ケース50のベース51側から扉体21の側面に向かってねじ込んでいる。
なお、固定手段として、ネジ90を例示したが、これに限定されず、クリップ等を使用してもよい。
（ロック装置10の使用方法）
上記構成を有するロック装置10の使用方法について、図１を用いて、以下に説明する。（ロック操作）
まず、ロック装置10を使用して、扉体21を閉位置にロックするには、図１に示すように、扉体21とレール40のレール溝（凹溝）との間に位置するスライド部材70を、同図の矢印で示すように、同図において向かって右側から左側に向かってスライドすればよい。
【００５０】
スライド部材70をスライドすると、そのピン部73がロック部材60のカム溝62の停止部63
から、返し部64を通過してカム溝62に進む。
ピン部73がカム溝62に沿って上昇する方向に相対的に進むことで、ロック部材60が下降し、その係止部61がケース50の下面に位置する開口部53から下方に向かって突出する。係止部61は、レール40のレール溝（凹溝）内に突入して、扉体21の移動を阻止することで、当該扉体21を閉位置にロックする。
（ロックの解除操作）
一方、扉体21のロック状態を解除するには、スライド部材70を、同図の矢印と逆の方向、すなわち同図において向かって左側から右側に向かってスライドすればよい。
【００５１】
ピン部73がカム溝62に沿って下降する方向に相対的に進むことで、ロック部材60が上昇し、その係止部61がレール40のレール溝（凹溝）か係脱する。
これにより、扉体21のロック状態が解除され、当該扉体21がレール40に沿って移動可能となり、その開放が可能となる。
一方、ピン部73は、カム溝62から返し部64を通過して停止部63に進む。このため、ピン部73は、返し部64により停止部63からカム溝62への戻りが防止される。
（第２の実施の形態）
つぎに、図１０を用いて、本発明の第２の実施の形態について説明する。
【００５２】
本実施の形態の特徴は、ロック装置10を、戸枠30の縦枠33（固定側部材）と扉体22との間に配置した点である。
すなわち、縦枠33（固定側部材）には、ロック部材60が突入可能な凹溝100を形成する。
なお、本実施の形態の特徴の説明においては、先に図１〜９を用いて説明した第１の実施の形態と同一の構成を有する部分については、同一の符号を付し、説明を省略する。
【００５３】
本実施の形態の特徴によれば、ロック部材60が、縦枠33（固定側部材）に形成された凹溝100内に突入することで、扉体22を閉位置にロックすることができる。
（第３の実施の形態）
つぎに、図１１を用いて、本発明の第３の実施の形態について説明する。
本実施の形態の特徴は、ロック装置10を、ヒンジ23に連結された２枚の扉体21,22の間に配置した点である。
【００５４】
すなわち、２枚の扉体21,22の一方、すなわち図１１において向かって左側に位置する扉体21に、ロック装置10を固定する。２枚の扉体21,22の他方、すなわち同図において向かって右側に位置する扉体22を、固定側部材とし、ロック部材60が突入可能な凹溝110を形成する。
なお、本実施の形態の特徴の説明においては、先に図１〜９を用いて説明した第１の実施の形態と同一の構成を有する部分については、同一の符号を付し、説明を省略する。
【００５５】
本実施の形態の特徴によれば、ロック部材60が、扉体21と隣接する他方の扉体22（固定側部材）に形成された凹溝100内に突入することで、２枚の扉体21,22を閉位置にロックすることができる。
【符号の説明】
【００５６】
＜第１の実施の形態＞
10  ロック装置                20  折れ戸
21,22  扉体                    23  ヒンジ
30  戸枠（固定側部材）
31,32  横枠                    33  縦枠
40  レール（凹溝）
50  ケース                    51  ベース
52  カバー                    53  開口部
54  ガイド溝（ガイド手段）    55  スライド溝
60  ロック部材
61  係止部                    62  カム溝
63  停止部                    64  返し部
65  規制部                    66  突起部
67  保持溝                    68  爪部
70  スライド部材              71  枠体
72  アーム                    73  ピン部
74  ガイド突起（ガイド手段）  75  操作部
80  スプリング（付勢手段）    90  ネジ（固定具）
＜第２の実施の形態＞
100  凹溝
＜第３の実施の形態＞
110  凹溝
【図１】
2015004207.tif 000003
【図２】
2015004207.tif 000004
【図３】
2015004207.tif 000005
【図４】
2015004207.tif 000006
【図５】
2015004207.tif 000007
【図６】
2015004207.tif 000008
【図７】
2015004207.tif 000009
【図８】
2015004207.tif 000010
【図９】
2015004207.tif 000011
【図１０】
2015004207.tif 000012
【図１１】
2015004207.tif 000013